(57)【要約】【課題】電装品等に異常状態が生じた時に、使用者に異常を知らせることで、安全性を保証するようにした電装品内蔵の歯科治療用マウスピースおよびそのマウスピース成形基材を提供する。【解決手段】電装品５（Ａ），５（Ｂ）を気密若しくは水密状態で内蔵する電装品内蔵の歯科治療用マウスピース１２である。電装品５（Ａ），５（Ｂ）またはマウスピース１２の異常状態を検出する検出手段４０と、この検出手段４０の異常状態検出時に、使用者に異常を知らせる異常呈示手段４３とを備えている。【選択図】図１
2013034740.tif 000002
【特許請求の範囲】
【請求項１】
電装品を気密若しくは水密状態で内蔵する電装品内蔵の歯科治療用マウスピースにおいて、
前記電装品またはマウスピースの異常状態を検出する検出手段と、この検出手段の異常状態検出時に、使用者に異常を知らせる異常呈示手段とを備えたことを特徴とする電装品内蔵の歯科治療用マウスピース。
【請求項２】
前記検出手段は、前記電装品の異常電流値を検出するものであることを特徴とする請求項１に記載の電装品内蔵の歯科治療用マウスピース。
【請求項３】
前記検出手段は、前記電装品の異常電圧値を検出するものであることを特徴とする請求項１に記載の電装品内蔵の歯科治療用マウスピース。
【請求項４】
前記検出手段は、前記電装品を収納する収納空間の異常温度を検出するものであることを特徴とする請求項１に記載の電装品内蔵の歯科治療用マウスピース。
【請求項５】
前記検出手段は、前記電装品を収納する収納空間の異常水分若しくは異常湿度を検出するものであることを特徴とする請求項１に記載の電装品内蔵の歯科治療用マウスピース。
【請求項６】
前記検出手段は、前記電装品を収納する収納空間の異常気圧を検出するものであることを特徴とする請求項１に記載の電装品内蔵の歯科治療用マウスピース。
【請求項７】
前記検出手段は、前記電装品を収納する収納空間の異常ガス濃度を検出するものであることを特徴とする請求項１に記載の電装品内蔵の歯科治療用マウスピース。
【請求項８】
前記異常呈示手段は、警告音を発生させるものであることを特徴とする請求項１に記載の電装品内蔵の歯科治療用マウスピース。
【請求項９】
前記異常呈示手段は、警告光を発生させるものであることを特徴とする請求項１に記載の電装品内蔵の歯科治療用マウスピース。
【請求項１０】
前記異常呈示手段は、水分により色を変化させるものであることを特徴とする請求項１に記載の電装品内蔵の歯科治療用マウスピース。
【請求項１１】
前記異常呈示手段は、水分により味を変化させるものであることを特徴とする請求項１に記載の電装品内蔵の歯科治療用マウスピース。
【請求項１２】
請求項１〜１１のいずれか一項のマウスピースを成形するための電装品内蔵のマウスピース成形基材であって、
前記電装品を内蔵する熱軟化性樹脂シート体を備え、この熱軟化性樹脂シート体を使用者の歯列に合わせて立体成形することで前記マウスピースに成形することを特徴とする歯科治療用マウスピース成形基材。
【発明の詳細な説明】
【技術分野】
【０００１】
本発明は、電装品内蔵の歯科治療用マウスピースおよびそのマウスピース成形基材に関する。
【背景技術】
【０００２】
マウスピースは、スポーツ時における歯の防護用（マウスガード）として普及しているが、近年では、歯科治療用マウスピースとして、特定波長の光で歯列の漂白（ホワイトニング）治療を行うマウスピース（特許文献１参照）が提案されている。
【０００３】
また、歯列への振動付与により歯科矯正治療効果を促進するマウスピース（特許文献２参照）も提案されている。
【０００４】
そして、漂白治療用のマウスピースでは、発光素子、その制御回路（制御素子）、必要に応じて電源用電池や電源用スイッチ等のような電装品をマウスピースに内蔵（組み込む）している。
【０００５】
また、矯正治療用のマウスピースでは、振動子、その制御回路（制御素子）、必要に応じて電源用電池、電源用スイッチ等のような電装品をマウスピースに内蔵している。
【先行技術文献】
【特許文献】
【０００６】
【特許文献１】特開２００５−３４２０７２号公報
【特許文献２】特開２００７−２６０１５８号公報
【発明の概要】
【発明が解決しようとする課題】
【０００７】
しかしながら、電装品をマウスピースに内蔵する場合、電装品はマウスピースとともに口腔内に入るものであるから、マウスピースに電装品を気密若しくは水密状態で内蔵することで、安全性を保証しなければならない。
【０００８】
それと同時に、電装品またはマウスピースの異常状態を検出して、この検出手段の異常状態検出時に、使用者に異常を知らせることで、安全性を保証しなければならない。
【０００９】
ここで、電装品自体の異常状態としては、例えば、発光素子若しくは振動子、これらの制御回路がショートしたような場合であり、マウスピースの異常状態としては、例えばマウスピースに亀裂等が生じて水分（唾液等）が電装品に浸入したような場合である。
【００１０】
これらのことは、電装品を内蔵し、使用者の歯列に合わせてマウスピースに成形する前の半完成品であるマウスピース成形基材でも同様である。
【００１１】
本発明は、特に後者の安全性を保証するためになされたもので、電装品等に異常状態が生じた時に、使用者に異常を知らせることで、安全性を保証するようにした電装品内蔵の歯科治療用マウスピースおよびそのマウスピース成形基材を提供することを目的とするものである。
【課題を解決するための手段】
【００１２】
前記課題を解決するために、本発明は、電装品を気密若しくは水密状態で内蔵する電装品内蔵の歯科治療用マウスピースにおいて、前記電装品またはマウスピースの異常状態を検出する検出手段と、この検出手段の異常状態検出時に、使用者に異常を知らせる異常呈示手段とを備えたことを特徴とする電装品内蔵の歯科治療用マウスピースを提供するものである。
【００１３】
前記検出手段は、前記電装品の異常電流値を検出するものである構成とすることができる。
【００１４】
前記検出手段は、前記電装品の異常電圧値を検出するものである構成とすることができる。
【００１５】
前記検出手段は、前記電装品を収納する収納空間の異常温度を検出するものである構成とすることができる。
【００１６】
前記検出手段は、前記電装品を収納する収納空間の異常水分若しくは異常湿度を検出するものである構成とすることができる。
【００１７】
前記検出手段は、前記電装品を収納する収納空間の異常気圧を検出するものである構成とすることができる。
【００１８】
前記検出手段は、前記電装品を収納する収納空間の異常ガス濃度を検出するものである構成とすることができる。
【００１９】
前記異常呈示手段は、警告音を発生させるものであること構成とすることができる。
【００２０】
前記異常呈示手段は、警告光を発生させるものである構成とすることができる。
【００２１】
前記異常呈示手段は、水分により色を変化させるものである構成とすることができる。
【００２２】
前記異常呈示手段は、水分により味を変化させるものである構成とすることができる。
【００２３】
前記マウスピースを成形するための電装品内蔵のマウスピース成形基材であって、前記電装品を内蔵する熱軟化性樹脂シート体を備え、この熱軟化性樹脂シート体を使用者の歯列に合わせて立体成形することで前記マウスピースに成形する構成とすることができる。
【発明の効果】
【００２４】
本発明によれば、検出手段で電装品またはマウスピース（マウスピース成形基材も含む。以下同様。）の異常状態を検出した時に、異常呈示手段で使用者に異常を知らせる。これにより、使用者はマウスピースを使用できないことが知らされることで、安全性が保証されるようになる。また、マウスピース成形基材では、マウスピースに成形する前に、不良品のマウスピース成形基材が予め分かるので、この不良品を取り除くことで、安全性が保証されるようになる。
【図面の簡単な説明】
【００２５】
【図１】本発明の実施形態の電装品内蔵の歯科治療用マウスピースであり、（ａ）は斜視図、（ｂ）（ｃ）は使用者の歯列に嵌めたときの断面図である。
【図２】（ａ）は歯列の斜視図、（ｂ）は矯正治療用の振動子を含む電装品を実装したフレキシブル基板の正面図、（ｃ）は漂白治療用の発光素子を含む電装品を実装したフレキシブル基板の正面図である。
【図３】本発明に係るマウスピース成形基材を立体形状に予備成形する成形装置の斜視図である。
【図４】マウスピース用として市販されている熱軟化性樹脂シート体の一例であり、（ａ）は平面図、（ｂ）は側面図である。
【図５】（ａ）〜（ｃ）は、２枚の樹脂シート体を用いてマウスピースを成形する工程図である。
【図６】マウスピース成形基材であり、（ａ）は、電装品が実装されたフレキシブル基板を内蔵した要部破断の平面図、（ｂ）は、（ａ）のＩ−Ｉ線に相当する断面図である。
【図７】マウスピース成形基材であり、（ａ）は、電装品が実装されたフレキシブル基板を内蔵する前の分解側面図、（ｂ）は、図６（ａ）のＩ−Ｉ線に相当する断面図である。
【図８】第１例の汎用歯型模型を用いて、マウスピース成形基材を立体形状に予備成形する要領であり、（ａ）は汎用歯型模型の斜視図、（ｂ）は立体形状に予備成形されたマウスピース成形基材の斜視図、（ｃ）は（ｂ）のＩＩ−ＩＩ線に相当する断面図である。
【図９】第２例の汎用歯型模型を用いて、マウスピース成形基材を立体形状に予備成形する要領であり、（ａ）は汎用歯型模型の斜視図、（ｂ）は立体形状に予備成形されたマウスピース成形基材の斜視図、（ｃ）は（ｂ）のＩＩＩ−ＩＩＩ線に相当する断面図である。
【図１０】（ａ）は電装品内蔵の歯科治療用マウスピースの概念図、（ｂ）は回路構成図である。
【図１１】（ａ）は回路構成図、（ｂ）は短絡検知部を有する回路構成図（ｃ）は感水シートまたは味覚シートを内蔵したマウスピースを歯列に嵌めたときの断面図、（ｄ）は感水シートまたは味覚シートの斜視図である。
【発明を実施するための形態】
【００２６】
以下、本発明を実施するための形態について、図面を参照しながら詳細に説明する。最初に、電装品内蔵のマウスピース１２と、電装品内蔵の歯科治療用マウスピース成形基材２（Ａ）〜（Ｄ）とを説明する。
【００２７】
図１は、電装品内蔵の歯科治療用マウスピース１２であり、（ａ）は斜視図、（ｂ）（ｃ）は使用者の歯列１４に嵌めたときの断面図である。
【００２８】
図１（ａ）のように、電装品内蔵の歯科治療用マウスピース１２は、平面視で歯列１４〔図２（ａ）を参照〕の湾曲に沿った略円弧状（アーチ状）に合成樹脂で成形されている。そして、後述する歯列１４の矯正治療用の振動子７（Ａ）または歯列１４の漂白治療用の発光素子７（Ｂ）を少なくとも含む電装品５（Ａ）または５（Ｂ）を、フレキシブル基板６に実装した状態で気密若しくは水密状態で内蔵している。
【００２９】
このマウスピース１２は、図１（ｂ）のように、使用者の歯列１４に嵌めて、歯列１４に振動または光を照射することにより、歯列矯正治療または歯列漂白治療を行うものである。
【００３０】
フレキシブル基板６は、薄くて柔軟性を有するプリント配線用の基板である。図２（ｂ）の歯列矯正治療用の電装品５（Ａ）が実装されたフレキシブル基板６には、電装品５（Ａ）として、歯列矯正治療用の振動子（振動モータ）７（Ａ）が実装されている。また、振動子７（Ａ）の制御回路（制御素子）８と、ボタン電池のような電源用電池９と、プッシュ式の電源用スイッチ１０とが適所に実装されている。
【００３１】
また、図２（ｃ）の歯列漂白治療用の電装品５（Ｂ）が実装されたフレキシブル基板６には、電装品５（Ｂ）として、歯列漂白治療用の発光素子７（Ｂ）が実装されている。また、発光素子７（Ｂ）の制御回路（制御素子）８と、ボタン電池のような電源用電池９と、電源用スイッチ１０とが適所に実装されている。
【００３２】
フレキシブル基板６に、振動子７（Ａ）または発光素子７（Ｂ）のみを実装することもできる。そして、これらの電線（コード）をマウスピース１２から口腔外に引き出し、口腔外において、制御回路（制御素子）８、電源用電池９、電源用スイッチ１０に電気的に接続することも可能である。
【００３３】
電装品内蔵の歯科治療用マウスピース１２は、図３に示す市販の成形装置２０を用いて、歯科医師等が成形することができる。
【００３４】
この成形装置２０は、使用者の採取歯型模型３３を搭載するステージ２１を備えている。また、このステージ２１に形成された多数の吸引孔２２から吸引を行うポンプなどを内蔵する本体２３を備えている。さらに、この本体２３の上に立設される支柱２４によって昇降自在であり、後述する熱軟化性樹脂シート体１やマウスピース成形基材２（Ａ）〜２（Ｄ）を挟み込む上下一対のシート固定具２５，２６と、支柱２４の上に搭載される電熱器２７を備えて構成される。
【００３５】
マウスピース１２の成形材料としては、マウスピース用として市販されている図４の円板状の熱軟化性樹脂シート体１を用いることができる。この熱軟化性樹脂シート体１は、外径Ｄが約１２５ｍｍ、厚みｔが約１〜６ｍｍ程度のサイズが一般的である。
【００３６】
熱軟化性樹脂シート体１の材料としては、マウスピース（またはマウスガード）の材料として広く用いられ、衛生面の安全性が保証された材料が用いられる。例えば、高分子材料であるＥＶＡ（エチレン酢酸ビニル樹脂）シートは、歯や歯肉へのアレルギー等の影響を抑えることができるので好ましい。
【００３７】
この熱軟化性樹脂シート体１を用いてマウスピース１２を成形するには、図３のように、使用者の採取歯型模型３３を成形装置２０のステージ２１の上に搭載する。
【００３８】
そして、シート固定具２５，２６に１枚目の樹脂シート体１を挟み込み、シート固定具２５，２６とともに１枚目の樹脂シート体１を上昇させて、電熱器２７で軟化するまで加熱する。軟化するとシート固定具２５，２６とともに１枚目の樹脂シート体１を下降させて、採取歯型模型３３に軟化した１枚目の樹脂シート体１を徐々に被せて行く。このとき、吸引孔２２から吸引が行われることで、その気流によって１枚目の樹脂シート体１が採取歯型模型３３に密着して、１枚目の樹脂シート体１に採取歯型模型３３の形状が型付けされる。
【００３９】
このようにして成形を行うことで、図５（ａ）のように、１枚目の樹脂シート体１は、型付けされた内側ピース１２Ａとして完成する。
【００４０】
次に、図５（ｂ）のように、内側ピース１２Ａが熱いうちに、電装品５（Ａ）または５（Ｂ）を実装したフレキシブル基板６を内側ピース１２Ａに貼り付ける。
【００４１】
さらに、フレキシブル基板６を貼り付けた内側ピース１２Ａの上に、前述と同様にして、シート固定具２５，２６を用いて２枚目の樹脂シート体１を被せて吸引する。これによって、２枚目の樹脂シート体１が内側ピース１２Ａに密着して、２枚目の樹脂シート体に内側ピース１２Ａの形状が型付けされることで、外側ピース１２Ｂが完成する。
【００４２】
これら内側ピース（１枚目の樹脂シート体１）１２Ａおよび外側ピース（２枚目の樹脂シート体１）１２Ｂによって、電装品５（Ａ）または５（Ｂ）とともにフレキシブル基板６が気密若しくは水密状態で内蔵されるようになる。
【００４３】
その後、フランジ部分等の余分箇所を硬化後に切断すれば、完成品としてのマウスピース１２の形状となる。
【００４４】
前述のマウスピース１２は、電装品内蔵の歯科治療用マウスピース成形基材２（Ａ）〜（Ｄ）、すなわち、電装品５（Ａ）または５（Ｂ）を内蔵する熱軟化性樹脂シート体１を使用者の歯列１４に合わせて立体成形することでも成形することができる。
【００４５】
このような電装品内蔵の歯科治療用マウスピース成形基材２（Ａ）〜（Ｄ）を必要とする理由は、電装品の内蔵作業は、電装品の取り扱いに慣れた製造者若しくは販売者において行うことができるから、安全性が保証されるようになるからである。このマウスピース成形基材２（Ａ）〜（Ｄ）を用いれば、歯科医師等は、従来とほぼ同様の工程で、電装品が所定の治療位置に正確に配置され、かつ歯列にフィットして安定に装着できる歯科治療用マウスピース１２を成形することができる利点がある。
【００４６】
図６はシート状の歯科治療用マウスピース成形基材２（Ａ）であり、（ａ）は、電装品５（Ａ）または５（Ｂ）が実装されたフレキシブル基板６を内蔵した要部破断の平面図である。（ｂ）は（ａ）のＩ−Ｉ線に相当する断面図である。
【００４７】
シート状の歯科治療用マウスピース成形基材２（Ａ）は、電装品５（Ａ）または５（Ｂ）を実装したフレキシブル基板６を気密若しくは水密状態で、熱軟化性樹脂シート体１にインサートモールドで内蔵している。熱軟化性樹脂シート体１の材料は前述のＥＶＡであるが、市販のシートを用いるのではなく、インサートモールド装置の成形用型を用いて、市販のサイズのシート形状に成形したものである。
【００４８】
図７はシート状の歯科治療用マウスピース成形基材２（Ｂ）であり、（ａ）は、電装品５（Ａ）または５（Ｂ）が実装されたフレキシブル基板６を内蔵する前の分解側面図、（ｂ）は図６（ａ）のＩ−Ｉ線に相当する断面図である。
【００４９】
シート状の歯科治療用マウスピース成形基材２（Ｂ）は、電装品５（Ａ）または５（Ｂ）を実装したフレキシブル基板６を２枚の熱軟化性樹脂シート体１，１の間に気密若しくは水密状態で挟んで内蔵している。
【００５０】
このシート状の歯科治療用マウスピース成形基材２（Ａ）または２（Ｂ）を立体形状に予備成形して、歯科治療用マウスピース成形基材２（Ｃ），２（Ｄ）を作製することもできる。
【００５１】
図８（ｂ）は、図８（ａ）の汎用歯型模型１３（Ａ）で立体形状に予備成形された歯科治療用マウスピース成形基材２（Ｃ）であり、図８（ｃ）は、図８（ｂ）のＩＩ−ＩＩ線に相当する断面図である。図９（ｂ）は、図９（ａ）の汎用歯型模型１３（Ｂ）で立体形状に予備成形された歯科治療用マウスピース成形基材２（Ｄ）であり、図９（ｃ）は、図９（ｂ）のＩＩＩ−ＩＩＩ線に相当する断面図である。
【００５２】
ここで、汎用歯型模型１３（Ａ），１３（Ｂ）とは、歯科医師等が使用者の歯列１４から作製した精密な採取歯型模型３３ではなく、どのような歯列１４にも嵌め込むことが可能なように作製した疑似的な歯型模型のことである。
【００５３】
この汎用歯型模型１３（Ａ）または１３（Ｂ）を成形装置２０のステージ２１上に搭載し、前述の採取歯型模型３３の場合と同様にして、歯科治療用マウスピース成形基材２（Ｃ）、または歯科治療用マウスピース成形基材２（Ｄ）を作製することができる。
【００５４】
ここで、歯科治療用マウスピース成形基材２（Ａ）〜２（Ｄ）は、使用者の歯列１４に合った完成品としてのマウスピース１２の形状に本成形（最終）する必要がある。
【００５５】
この本成形には、採取歯型模型３３を成形装置２０のステージ２１上に搭載し、前述の採取歯型模型３３の場合と同様にして、完成品としてのマウスピース１２の形状に本成形（最終）することができる。
【００５６】
前記したマウスピース１２と歯科治療用マウスピース成形基材２（Ａ）〜２（Ｄ）は、電装品５（Ａ）または５（Ｂ）をフレキシブル基板６に実装した状態で気密若しくは水密状態で内蔵している点で共通している。
【００５７】
そして、マウスピース１２は、口腔内での使用中に電装品５（Ａ）または５（Ｂ）に異常状態が生じた時に、使用者に異常を知らせることで、安全性を保証することができる。
【００５８】
また、歯科治療用マウスピース成形基材２（Ａ）〜２（Ｄ）は、そのまま口腔内に入れるものではないが、完成品としてのマウスピース１２の形状に本成形する前の水没検査等の段階で、製造者等に異常を知らせることで、安全性を保証することができる。
【００５９】
そこで、電装品５（Ａ）または５（Ｂ）、マウスピース１２または歯科治療用マウスピース成形基材２（Ａ）〜２（Ｄ）に異常状態が生じた時に、使用者（製造者等も含む。以下同様。）に異常を知らせることで、安全性を保証する手段を次に説明する。
【００６０】
図１０（ａ）に概念図を示すように、マウスピース１２〔歯科治療用マウスピース成形基材２（Ａ）〜２（Ｄ）も含む。以下同様。）内には、電装品５（Ａ）または５（Ｂ）やマウスピース１２の異常状態を検出する検出手段４０を備えている。また、この検出手段４０の異常状態検出時に、使用者に異常を知らせる異常呈示手段４３を備えている。
【００６１】
ここで、電装品５（Ａ）または５（Ｂ）自体の異常状態としては、例えば、振動子７（Ａ）または発光素子７（Ｂ）やこれらの制御回路８がショートしたような場合である。また、マウスピース１２の異常状態としては、例えばマウスピース１２に亀裂等が生じて水分（唾液等）が電装品５（Ａ）または５（Ｂ）に浸入したような場合である。
【００６２】
そして、検出手段４０で電装品５（Ａ）または５（Ｂ）やマウスピース１２の異常状態を検出した時に、異常呈示手段４３で使用者に異常を知らせる。
【００６３】
これにより、マウスピース１２では、使用者にマウスピース１２を使用できないことを知らしめることで、安全性が保証されるようになる。
【００６４】
また、マウスピース成形基材２（Ａ）〜２（Ｄ）では、マウスピース１２に成形する前に、不良品のマウスピース成形基材２（Ａ）〜２（Ｄ）が予め分かるので、この不良品を取り除くことで、安全性が保証されるようになる。
【００６５】
次に、検出手段４０と異常呈示手段４３の具体例を説明する。第１に、電装品５（Ａ）または５（Ｂ）の異常電流値を検出する検出手段４０として、図１０（ｂ）のように、振動子７（Ａ）または発光素子７（Ｂ）の駆動回路に、電流計（電流センサ）４０Ａを設ける。また、異常呈示手段４３として、警告音を発生させるブザー４３Ａまたは警告光を発生させるＬＥＤ（発光素子）４３Ｂを設ける。なお、ブザー４３ＡとＬＥＤ４３Ｂを一緒に設けてもよい。
【００６６】
電装品５（Ａ）または５（Ｂ）の異常電流値は、電装品（機器）５（Ａ）または５（Ｂ）自体のショートにより生じる（機器異常）。また、マウスピース（外殻）１２の亀裂等から浸入した水分（唾液等）で電装品５（Ａ）または５（Ｂ）がショートした場合に（外殻異常）、電流値が異常に変動（電流値が急激に上昇）することにより生じる。
【００６７】
そこで、この異常電流値（過電流）を電流計４０Ａで検出すると、この検出信号により、ブザー４３Ａから警告音を発生させ、またはＬＥＤ（発光素子）４３Ｂを点滅させる等する。
【００６８】
第２に、電装品５（Ａ）または５（Ｂ）の異常電圧値を検出する検出手段４０として、図１０（ｂ）のように、振動子７（Ａ）または発光素子７（Ｂ）の駆動回路に、電圧計（電圧センサ）４０Ｃを設ける。また、異常呈示手段４３として、警告音を発生させるブザー４３Ａまたは警告光を発生させるＬＥＤ（発光素子）４３Ｂを設ける。
【００６９】
電装品５（Ａ）または５（Ｂ）の異常電圧値は、電装品（機器）５（Ａ）または５（Ｂ）自体のショートにより（機器異常）、電圧値が異常に変動（電圧値が急激に下降）することにより生じる。また、マウスピース（外殻）１２の亀裂等から浸入した水分（唾液等）で電装品５（Ａ）または５（Ｂ）がショートした場合に（外殻異常）、電圧値が異常に変動（電圧値が急激に下降）することにより生じる。
【００７０】
そこで、この異常電圧値を電圧計４０Ｃで検出すると、この検出信号により、ブザー４３Ａから警告音を発生させ、またはＬＥＤ（発光素子）４３Ｂを点滅させる等する。
【００７１】
第３に、電装品５（Ａ），５（Ｂ）を収納する収納空間１２ａ〔図１（ｃ）を参照〕の異常温度を検出する検出手段４０として、図１１（ａ）のように、温度計（温度センサ）４０Ｄを設ける。また、異常呈示手段４３として、警告音を発生させるブザー４３Ａまたは警告光を発生させるＬＥＤ（発光素子）４３Ｂを設ける。
【００７２】
電装品５（Ａ）または５（Ｂ）の異常温度は、電装品（機器）５（Ａ）または５（Ｂ）自体のショート等による発熱（機器異常）により、温度が異常に変動（温度が急激に上昇）することにより生じる。また、マウスピース（外殻）１２の亀裂等から浸入した水分（唾液等）で電装品５（Ａ）または５（Ｂ）がショート等で発熱した場合に（外殻異常）、温度が異常に変動（温度が急激に上昇）することにより生じる。
【００７３】
そこで、この異常温度を温度計４０Ｄで検出すると、この検出信号により、ブザー４３Ａから警告音を発生させ、またはＬＥＤ（発光素子）４３Ｂを点滅させる等する。
【００７４】
温度計４０Ｄ以外に、サーミスタ、熱電対を用いることもできる。サーミスタと熱電対は、異常温度を検出すると出力電圧が変化し、この出力電圧の変化（検出信号）でブザー４３Ａから警告音を発生させ、またはＬＥＤ（発光素子）４３Ｂを点滅させる等する。
【００７５】
サーミスタとしては、例えば、芝浦電子社製の品番ＰＢ−３６が適当である。熱電対としては、例えば、石川産業社製の品番３０４−Ｊ−０１０が適当である。
【００７６】
第４に、電装品５（Ａ）または５（Ｂ）を収納する収納空間１２ａの異常水分若しくは異常湿度を検出する検出手段４０として、図１１（ａ）のように、水分計（水分センサ）若しくは湿度計（湿度センサ）４０Ｅを設ける。
【００７７】
異常水分若しくは異常湿度は、マウスピース（外殻）１２の亀裂等から水分（唾液等）が浸入した場合に（外殻異常）、水分若しくは湿度が異常に変動（水分量若しくは湿度が急激に上昇）することにより生じる。
【００７８】
そこで、この異常水分若しくは異常湿度を水分計若しくは湿度計４０Ｅで検出すると、この検出信号により、ブザー４３Ａから警告音を発生させ、またはＬＥＤ（発光素子）４３Ｂを点滅させる等する。
【００７９】
図１１（ｂ）のように、水分計（水分センサ）若しくは湿度計（湿度センサ）４０Ｅに代えて、回路が開成した短絡検出部４０Ｈを設けて、水分若しくは湿度で短絡検出部４０Ｈを短絡（ショート…回路が閉成）させる。この短絡検知部４０Ｈの短絡で、制御信号がスイッチング素子５０のベースに印加されることで、ＬＥＤ（発光素子）４３Ｂを点滅させることができる。
【００８０】
第５に、電装品５（Ａ）または５（Ｂ）を収納する収納空間１２ａの異常気圧を検出する検出手段４０として、図１１（ａ）のように、気圧計（気圧センサ）４０Ｆを設ける。
【００８１】
異常気圧は、マウスピース（外殻）１２の収納空間の気圧を予め高めておき、マウスピース１２の亀裂等から収納空間１２ａの気圧が抜けた場合に（外殻異常）、気圧が異常に変動（気圧が急激に下降）することにより生じる。
【００８２】
そこで、この異常気圧を気圧計４０Ｆで検出すると、この検出信号により、ブザー４３Ａから警告音を発生させ、またはＬＥＤ（発光素子）４３Ｂを点滅させる等する。
【００８３】
第６に、電装品５（Ａ）または５（Ｂ）を収納する収納空間１２ａの異常ガス濃度を検出する検出手段４０として、図１１（ａ）のように、ガス濃度計（ガス濃度センサ）４０Ｇを設ける。
【００８４】
異常ガス濃度は、マウスピース（外殻）１２の収納空間１２ａに予め不活性ガスを充填しておき、マウスピース１２の亀裂等から収納空間１２ａの不活性ガスが抜けた場合に（外殻異常）、ガス濃度が異常に変動（ガス濃度が急激に低下）することにより生じる。
【００８５】
そこで、この異常ガス濃度をガス濃度計４０Ｇで検出すると、この検出信号により、ブザー４３Ａから警告音を発生させ、またはＬＥＤ（発光素子）４３Ｂを点滅させる等する。
【００８６】
第７に、検出手段４０と異常呈示手段４３とを兼ねたものとして、図１１（ｃ）（ｄ）のように、水分により色を変化させる感水シート４３Ｃをマウスピース１２内に設ける。感水シート４３Ｃは、水分を吸収すると、吸水した部分の色が変化するものであり、検出手段を兼ねている。
【００８７】
感水シート４３Ｃは、携帯電話等の水没検出シールとして汎用されており、特許第３０５８６３４号で公知である。また、例えばアドバンテック東洋社製の乾燥度試験紙、水分試験紙、塩化コバルト紙等がある。
【００８８】
感水シート４３Ｃは、マウスピース１２内のフレキシブル基板６の前後位置にそれぞれ設けることが好ましい。また、フレキシブル基板６を内部に完全に収納するような袋状であることがより好ましい。
【００８９】
そして、マウスピース（外殻）１２の亀裂等から内部に水分（唾液等）が浸入し、感水シート４３Ｃが水分を吸収すると、吸水した部分の色が変化することで、使用者に視覚を通じて異常を知らせることができる。
【００９０】
第８に、検出手段４０と異常呈示手段４３とを兼ねたものとして、図１１（ｃ）（ｄ）のように、水分により味を変化させる味覚シート４３Ｄをマウスピース１２内に設ける。味覚シート４３Ｄは、水分を吸収すると、吸水した部分に予め染みこませている食塩等が溶け出すものであり、検出手段を兼ねている。味覚シート４３Ｄとしては、例えばアドバンテック東洋社製の食塩含浸濾紙がある。
【００９１】
味覚シート４３Ｄは、マウスピース１２内のフレキシブル基板６の前後位置にそれぞれ設けることが好ましい。また、フレキシブル基板６を内部に完全に収納するような袋状であることがより好ましい。
【００９２】
そして、マウスピース（外殻）１２の亀裂等から内部に水分（唾液等）が浸入し、味覚シート４３Ｄが水分を吸収すると、吸水した部分に予め染みこませている食塩等が溶け出すことで、使用者に味覚を通じて異常を知らせることができる。
【００９３】
以上のように、本発明に係る電装品内蔵の歯科治療用マウスピースは、電装品を気密若しくは水密状態で内蔵する電装品内蔵の歯科治療用マウスピースにおいて、前記電装品またはマウスピースの異常状態を検出する検出手段と、この検出手段の異常状態検出時に、使用者に異常を知らせる異常呈示手段とを備えたことを特徴とするものである。
【００９４】
これによれば、検出手段で電装品またはマウスピース（マウスピース成形基材も含む。以下同様。）の異常状態を検出した時に、異常呈示手段で使用者に異常を知らせる。これにより、使用者はマウスピースを使用できないことが知らされることで、安全性が保証されるようになる。また、マウスピース成形基材では、マウスピースに成形する前に、不良品のマウスピース成形基材が予め分かるので、この不良品を取り除くことで、安全性が保証されるようになる。
【００９５】
また、前記検出手段は、前記電装品の異常電流値を検出するものである構成とすることができる。
【００９６】
これによれば、電装品の異常電流値は、電装品（機器）自体のショートの他（機器異常）、マウスピース（外殻）の亀裂等から浸入した水分（唾液等）で電装品がショートした場合に（外殻異常）、電流値が異常に変動（電流値が急激に上昇）することにより生じる。そこで、この異常電流値を検出手段で検出する。この検出手段としては、電流計（電流センサ）がある。
【００９７】
さらに、前記検出手段は、前記電装品の異常電圧値を検出するものである構成とすることができる。
【００９８】
これによれば、電装品の異常電圧値は、電装品（機器）自体のショートの他（機器異常）、マウスピース（外殻）の亀裂等から浸入した水分（唾液等）で電装品がショートした場合に（外殻異常）、電圧値が異常に変動（電圧値が急激に下降）することにより生じる。また、マウスピースに内蔵したバッテリが過放電して、電圧値が異常に変動することにより生じる。そこで、この異常電圧値を検出手段で検出する。この検出手段としては、電圧計（電圧センサ）がある。
【００９９】
また、前記検出手段は、前記電装品を収納する収納空間の異常温度を検出するものである構成とすることができる。
【０１００】
これによれば、電装品の異常温度は、電装品（機器）自体のショート等による発熱の他（機器異常）、マウスピース（外殻）の亀裂等から浸入した水分（唾液等）で電装品がショート等で発熱した場合に（外殻異常）、温度が異常に変動することにより生じる。そこで、この異常温度を検出手段で検出する。この検出手段としては、例えば温度計（温度センサ）がある。
【０１０１】
さらに、前記検出手段は、前記電装品を収納する収納空間の異常水分若しくは異常湿度を検出するものである構成とすることができる。
【０１０２】
これによれば、異常水分若しくは異常湿度は、マウスピース（外殻）の亀裂等から水分（唾液等）が浸入した場合に（外殻異常）、水分若しくは湿度が異常に変動することにより生じる。そこで、この異常水分若しくは異常湿度を検出手段で検出する。この検出手段としては、例えば水分計（水分センサ）若しくは湿度計（湿度センサ）がある。
【０１０３】
また、前記検出手段は、前記電装品を収納する収納空間の異常気圧を検出するものである構成とすることができる。
【０１０４】
これによれば、異常気圧は、マウスピース（外殻）の収納空間の気圧を予め高めておき、マウスピースの亀裂等から収納空間の気圧が抜けた場合に（外殻異常）、気圧が異常に変動することにより生じる。そこで、この異常気圧を検出手段で検出する。この検出手段としては、例えば気圧計（気圧センサ）がある。
【０１０５】
さらに、前記検出手段は、前記電装品を収納する収納空間の異常ガス濃度を検出するものである構成とすることができる。
【０１０６】
これによれば、異常ガス濃度は、マウスピース（外殻）の収納空間に予め不活性ガスを充填しておき、マウスピースの亀裂等から収納空間の不活性ガスが抜けた場合に（外殻異常）、ガス濃度が異常に変動することにより生じる。そこで、この異常ガス濃度を検出手段で検出する。この検出手段としては、例えばガス濃度計（ガス濃度センサ）がある。
【０１０７】
また、前記異常呈示手段は、警告音を発生させるものである構成とすることができる。
【０１０８】
これによれば、検出手段から検出情報が入ると、ブザー等で警告音を発生させることで、使用者に聴覚を通じて異常を知らせることができる。
【０１０９】
さらに、前記異常呈示手段は、警告光を発生させるものである構成とすることができる。
【０１１０】
これによれば、検出手段から検出情報が入ると、ＬＥＤの点滅等のような警告光を発生させることで、使用者に視覚を通じて異常を知らせることができる。
【０１１１】
また、前記異常呈示手段は、水分により色を変化させるものである構成とすることができる。
【０１１２】
これによれば、検出手段から水分の検出情報が入ると、感水シートのように色を変化させることで、使用者に視覚を通じて異常を知らせることができる。感水シートは、水分を吸収すると、吸水した部分の色が変化するものであり、検出手段を兼ねている。
【０１１３】
さらに、前記異常呈示手段は、水分により味を変化させるものである構成とすることができる。
【０１１４】
これによれば、検出手段から水分の検出情報が入ると、味覚シートのように味を変化させることで、使用者に味覚を通じて異常を知らせることができる。味覚シートは、水分を吸収すると、吸水した部分に予め染みこませている食塩等が溶け出すものであり、検出手段を兼ねている。
【０１１５】
また、本発明に係る電装品内蔵の歯科治療用マウスピースを成形するための電装品内蔵のマウスピース成形基材は、前記電装品を内蔵する熱軟化性樹脂シート体を備え、この熱軟化性樹脂シート体を使用者の歯列に合わせて立体成形することで前記マウスピースに成形することを特徴とするものである。
【０１１６】
これによれば、歯科治療用マウスピース成形基材は、そのまま口腔内に入れるものではないが、完成品としてのマウスピースの形状に本成形する前の水没検査等の段階で、安全性を保証することができる。
【符号の説明】
【０１１７】
１        熱軟化性樹脂シート体
２（Ａ）〜（Ｄ）  歯科治療用マウスピース成形基材
５（Ａ），５（Ｂ）  電装品
６        フレキシブル基板
７（Ａ）  振動子
７（Ｂ）  発光素子
８        制御回路（制御素子）
９        電源用電池
１０      電源スイッチ
１２      マウスピース
１４      歯列
４０      検出手段
４０Ａ    電流計
４０Ｃ    電圧計
４０Ｄ    温度計
４０Ｅ    水分計、湿度計
４０Ｆ    気圧計
４０Ｇ    ガス濃度計
４０Ｈ    短絡検出部
４３      異常呈示手段
４３Ａ    ブザー
４３Ｂ    ＬＥＤ
４３Ｃ    感水シート
４３Ｄ    味覚シート
【図１】
2013034740.tif 000003
【図２】
2013034740.tif 000004
【図３】
2013034740.tif 000005
【図４】
2013034740.tif 000006
【図５】
2013034740.tif 000007
【図６】
2013034740.tif 000008
【図７】
2013034740.tif 000009
【図８】
2013034740.tif 000010
【図９】
2013034740.tif 000011
【図１０】
2013034740.tif 000012
【図１１】
2013034740.tif 000013